(57)【要約】【課題】  撮像装置の持ちやすさを維持しつつ、画像表示部の表示画像に対する視認性、操作性を向上させる。【解決手段】  デジタルカメラ１００は、画像を表示する画像表示部１０６と重畳した閉状態と画像表示部１０６に重畳しない開状態とに移動可能なグリップ部材６０を備える。【選択図】  図３
2007081556.tif 000002
【特許請求の範囲】
【請求項１】
画像を表示する画像表示部と、
前記画像表示部と重畳した閉状態と前記画像表示部に重畳しない開状態とに移動可能なグリップ部材とを有することを特徴とする撮像装置。
【請求項２】
前記グリップ部材の開閉状態に応じて、前記画像表示部に表示させる画像のサイズを切り替える画像制御手段を更に有することを特徴とする請求項１に記載の撮像装置。
【請求項３】
前記画像制御手段は、前記グリップ部材が閉状態である場合、前記画像表示部において画像を縮小表示させ、前記グリップ部材が開状態である場合、前記画像表示部において画像を拡大表示させることを特徴とする請求項２に記載の撮像装置。
【請求項４】
前記グリップ部材は、ヒンジを用いて回動可能な部材であることを特徴とする請求項１乃至３の何れか１項に記載の撮像装置。
【請求項５】
前記グリップ部材は、スライド方式によって移動可能な部材であることを特徴とする請求項１乃至３の何れか１項に記載の撮像装置。
【請求項６】
前記グリップ部材は、親指に対応する部位に突状部が形成されていることを特徴とする請求項１乃至５の何れか１項に記載の撮像装置。
【請求項７】
撮像装置の制御方法であって、
画像を表示する画像表示部と重畳した閉状態と前記画像表示部に重畳しない開状態とに移動可能なグリップ部材の開閉状態に応じて、前記画像表示部に表示させる画像のサイズを切り替える画像制御ステップを含むことを特徴とする撮像装置の制御方法。
【請求項８】
請求項７に記載の撮像装置の制御方法をコンピュータに実行させるためのプログラム。
【請求項９】
請求項８に記載のプログラムを記録したコンピュータ読み取り可能な記録媒体。
【発明の詳細な説明】
【技術分野】
【０００１】
本発明は、当該撮像装置の持ちやすさと画像表示部の表示画像に対する視認性等とに考慮した撮像装置及びその制御方法に関するものである。
【背景技術】
【０００２】
従来のデジタルカメラ等の電子カメラにおいては、電子カメラ本体の背面に液晶モニタ等の画像表示部を備えるとともに、撮影者が把持する際の手の対応部位に電子カメラを把持しやすくするためのグリップ部が設けられている。
【０００３】
近年の技術革新の日進月歩により、電子カメラの軽量、小型化が進む一方で、撮影画面を見やすく、また操作画面の操作を行いうやすくために、画像表示部の大型化が図られている。
【０００４】
【特許文献１】特開平１１−２８９４８４号公報
【発明の開示】
【発明が解決しようとする課題】
【０００５】
しかしながら、電子カメラの小型化と画像表示部の大型化とが図られると、必然的に電子カメラ背面における画像表示部の占める割合が大きくなる。従って、グリップ部の割合が小さくなり、撮影時等に電子カメラを把持しにくくなるといった問題が生じる。
【０００６】
そこで、本発明の目的は、撮像装置の持ちやすさを維持しつつ、画像表示部の表示画像に対する視認性、操作性を向上させることにある。
【課題を解決するための手段】
【０００７】
本発明の撮像装置は、画像を表示する画像表示部と、前記画像表示部と重畳した閉状態と前記画像表示部に重畳しない開状態とに移動可能なグリップ部材とを有することを特徴とする。
本発明の撮像装置の制御方法は、撮像装置の制御方法であって、画像を表示する画像表示部と重畳した閉状態と前記画像表示部に重畳しない開状態とに移動可能なグリップ部材の開閉状態に応じて、前記画像表示部に表示させる画像のサイズを切り替える画像制御ステップを含むことを特徴とする。
本発明のプログラムは、前記撮像装置の制御方法をコンピュータに実行させることを特徴とする。
本発明のコンピュータ読み取り可能な記録媒体は、前記プログラムを記録したことを特徴とする。
【発明の効果】
【０００８】
本発明においては、画像表示部と重畳した閉状態と画像表示部に重畳しない開状態とに移動可能なグリップ部材を備えている。従って、本発明によれば、必要に応じてグリップ部材を移動させ、例えば撮影時等のようにグリップ部材を把持する必要がある場合には、グリップ部材を閉状態として撮像装置の持ちやすさを重視し、再生時等のようにグリップ部材を把持する必要がない場合には、グリップ部材を開状態として画像表示部の表示画像に対する視認性、操作性を向上させることが可能となる。よって、撮像装置の持ちやすさを維持しつつ、画像表示部の表示画像に対する視認性、操作性を向上させることができる。
【０００９】
また、本発明の他の特徴においては、グリップ部材の開閉状態に応じて、画像表示部における画像表示サイズを切り替えるように構成している。従って、例えば、グリップ部材が開状態にある場合には画像表示部全体に画像を拡大表示し、閉状態時には画像を縮小表示させ、常に表示画像全体を参照することが可能となり、表示画像部の表示画像に対する視認性、操作性を向上させることができる。
【発明を実施するための最良の形態】
【００１０】
以下、本発明を適用した好適な実施形態を、添付図面を参照しながら詳細に説明する。
【００１１】
図１は、本発明の実施形態に係るデジタルカメラを正面側からみた斜視図である。図１において、デジタルカメラ１００は、取り外し可能なレンズユニット１０、フラッシュ発光部１０１、ダイアルスイッチ１０２、シャッタボタン１０４、電子ダイアル１０３、フロントグリップ部１０５及びリアグリップ部６０を備える。
【００１２】
フラッシュ発光部１０１は、デジタルカメラ１００の上部に備えられ、使用時にポップアップして発光する。ダイアルスイッチ１０２は、撮影時のモードを切り替えるためのスイッチである。シャッタボタン１０４は、撮影時における撮影者の人指し指に対応する位置に配置され、画像撮影時に操作される。電子ダイアル１０３は、撮影に関する例えばシャッタ速度や絞り数値等の選択や設定のために使用される。フロントグリップ部１０５及びリアグリップ部６０は、デジタルカメラ１００の正面部及び背面部に夫々設けられ、撮影者が例えば撮影時にデジタルカメラ１００を把持するために設けられている。なお、リアグリップ部６０において、撮影時における撮影者の例えば右手親指に対応する部位に突状部を形成してもよい。この場合、突状部は例えば親指になじませるような湾曲形状を採ることが好ましい。
【００１３】
図２は、デジタルカメラ１００を背面側からみた斜視図である。図２に示すように、デジタルカメラ１００の背面には画像を表示可能な画像表示部１０６が備えられている。画像表示部１０６は、例えば液晶タッチパネル等によって構成され、メニュー画面、ファインダ画像及び再生画像等が表示される。また、デジタルカメラ１００の背面上部には、ファインダ接眼部１１７が備えられている。
【００１４】
図３は、リアグリップ部６０が閉状態にあるデジタルカメラ１００を背面側からみた斜視図であり、図４は、リアグリップ部６０が開状態にあるデジタルカメラ１００を背面側からみた斜視図である。図３に示すように、リアグリップ部６０が画像表示部１０６に重畳した閉状態にある場合、デジタルカメラ１００はリアグリップ部６０の閉状態を検知し、撮影モードとなり、図３の画像表示部１０６上にはファインダ画像が表示される。ファインダ画像は、リアグリップ部６０が画像表示部１０６に重畳している部分を除く領域に縮小表示され、撮影者が画像全体を見ることができるようにしている。
【００１５】
一方、図４に示すように、リアグリップ部６０が画像表示部１０６に重畳してない開状態にある場合、デジタルカメラ１００はリアグリップ部６０の開状態を検知し、再生モードとなり、図４の画像表示部１０６上には再生画像が表示される。再生画像は、画像表示部１０６の全表示領域に表示され、撮影モード時のファインダ画像より大きなサイズで表示される。このようにリアグリップ部６０が開状態にある場合は、リアグリップ部６０が画像表示部１０６を覆った状態にないため、画像表示部１０６の全表示領域を画像表示に活用することができる。
【００１６】
リアグリップ部６０は、図４に示すように、ヒンジを用いて回動可能な部材であり、軸Ａの周りに回動可能に軸支され、開き方向（矢印Ｂ）にスプリング等の弾機手段（図示せず）によって付勢されている。また、閉状態を保持するためにリアグリップ部６０をロックするためのロック部と、リアグリップ部６０が画像表示部１０６と略面一な開状態となったとき、その状態を保持するためのストッパ部とを備えている。
【００１７】
図５は、メニュー画面表示時にリアグリップ部６０が閉状態にあるデジタルカメラ１００を背面側からみた斜視図であり、図６は、メニュー画面表示時にリアグリップ部６０が開状態にあるデジタルカメラ１００を背面側からみた斜視図である。
【００１８】
図５に示すように、画像表示部１０６にメニュー画面を表示している際にリアグリップ部６０が閉状態にある場合、リアグリップ部６０が重畳しない画像表示部１０６の表示領域にメニュー画面が縮小表示されている。メニュー画面には、メニューボタン、インフォボタン、ジャンプボタン、イージープリントボタン等の各種操作ボタン１０９〜１１５、十字操作キー１０７、決定ボタン１０８等のソフトボタンが配置されている他、メニューを表示するメニュー表示領域１１６が設けられている。十字操作キー１０７を操作することにより、例えばＡＦモード、ホワイトバランス、測光モード等の撮影に関する設定をメニューから選択し、決定ボタン１０８により決定することが可能である。
【００１９】
一方、図６に示すように、画像表示部１０６にメニュー画面を表示している際にリアグリップ部６０が開状態にある場合、メニュー画面は例えば画像表示部１０６全体に拡大表示される。このようにメニュー画面表示時にリアグリップ部６０を開状態とすることにより、メニュー画面の視認性及び操作性を向上させることができる。なお、図６の例では、更にメニュー画面の視認性及び操作性に考慮して、図５のようにリアグリップ部６０が閉状態にある場合には表示されていた十字操作キー１０７及び決定ボタン１０８を表示させず、その分、メニュー表示領域を拡大させている。リアグリップ部６０の開状態において、十字操作キー１０７及び決定ボタン１０８に対応する操作手段は、リアグリップ部６０の裏面に配置された十字操作キー１０７´及び決定ボタン１０８´のハードボタンとなる。なお、図５及び図６におけるメニュー画面は、十字操作キー１０７、１０７´、決定ボタン１０８、１０８´のほか、本実施形態では、画像表示部１０６にタッチパネルを採用しているため、直接指で触れて操作することも可能である。
【００２０】
図７及び図８は、本発明の他の実施形態に係るデジタルカメラ１００を背面側からみた斜視図である。図７及び図８に示す本発明の他の実施形態に係るデジタルカメラ１００のリアグリップ部６３は、スライド方式によって移動し、画像表示部１０６に重畳した状態である閉状態と画像表示部１０６に重畳しない開状態とになり、デジタルカメラ１００はリアグリップ部６３が閉状態及び開状態を保持するためのストッパ手段を備えている。本実施形態においても、リアグリップ部６４の開状態及び閉状態に応じて、画像表示部１０６における表示画面の表示サイズを切り替えることが可能である。
【００２１】
次に、図９を用いてデジタルカメラ１００のシステム構成について説明する。図９は、デジタルカメラ１００のシステム構成を示すブロック図である。
【００２２】
デジタルカメラ１００内において、１０は撮影レンズ、１２は絞り機能を備えるシャッタ、１４は光学像を電気信号に変換する撮像素子、１６は撮像素子１４のアナログ信号出力をディジタル信号に変換するＡ／Ｄ変換器である。
【００２３】
１８は撮像素子１４、Ａ／Ｄ変換器１６、Ｄ／Ａ変換器２６にそれぞれクロック信号や制御信号を供給するタイミング発生回路であり、メモリ制御部２２及びシステム制御部５０により制御される。
【００２４】
２０は画像処理部であり、Ａ／Ｄ変換器１６からの画像データ或いはメモリ制御部２２からの画像データに対して所定の画素補間処理や色変換処理を行う。また、画像処理部２０は、Ａ／Ｄ変換器１６から出力される画像データを用いて所定の演算処理を行い、得られた演算結果に基づいてシステム制御部５０が露光制御部４０及び測距制御部４２に対して、ＴＴＬ（スルー・ザ・レンズ）方式のオートフォーカス（ＡＦ）処理、自動露出（ＡＥ）処理、フラッシュプリ発光（ＥＦ）処理を行っている。さらに、画像処理部２０は、Ａ／Ｄ変換器１６から出力される画像データを用いて所定の演算処理を行い、得られた演算結果に基づいてＴＴＬ方式のオートホワイトバランス（ＡＷＢ）処理も行っている。
【００２５】
２２はメモリ制御部であり、Ａ／Ｄ変換器１６、タイミング発生回路１８、画像処理部２０、画像表示メモリ２４、Ｄ／Ａ変換器２６、メモリ３０、圧縮伸長部３２を制御する。Ａ／Ｄ変換器１６から出力される画像データは、画像処理部２０、メモリ制御部２２を介して、或いはメモリ制御部２２のみを介して、画像表示メモリ２４或いはメモリ３０に書き込まれる。
【００２６】
２４は画像表示メモリ、２６はＤ／Ａ変換器、２８はＬＣＤ（Liquid Crystal Display）等を有する画像表示部である。画像表示メモリ２４に書き込まれた表示用の画像データはＤ／Ａ変換器２６を介して画像表示部１０６に表示される。
【００２７】
画像表示部１０６を用いて撮像した画像データを逐次表示すれば、電子ファインダ機能を実現することが可能である。なお、画像表示部１０６は、システム制御部５０の指示により表示のＯＮ又はＯＦＦが可能である。画像表示部１０６の表示をＯＦＦにした場合、デジタルカメラ１００の電力消費を大幅に低減することができる。また、画像表示部１０６は、合焦、手振れ、フラッシュ充電、シャッタスピード、絞り値、露出補正等に関する情報をシステム制御部５０からの指示に従って表示する。
【００２８】
３０は撮影した静止画像や動画像を格納するためのメモリであり、所定枚数の静止画像や所定時間の動画像を格納するのに充分な記憶容量を備えている。これにより、複数枚の静止画像を連続して撮影する連写やパノラマ撮影の場合にも、高速かつ大量の画像をメモリ３０に書き込むことができる。また、メモリ３０はシステム制御部５０の作業領域としても使用することが可能である。
【００２９】
３２はメモリ３０から読み出した画像データを所定の画像圧縮方法（適応離散コサイン変換（ＡＤＣＴ）等）に従って画像圧縮し、画像圧縮された画像データをメモリ３０に書き込む機能及びメモリ３０から読み出した画像データを伸長し、伸長した画像データをメモリ３０に書き込む機能を有する圧縮伸長部である。
【００３０】
４０は絞り機能を備えるシャッタ１２を制御する露光制御部であり、フラッシュ４８と連携することによりフラッシュ調光機能も有するものである。４２は撮影レンズ１０のフォーカシングを制御する測距制御部、４４は撮影レンズ１０のズーミングを制御するズーム制御部である。４８はフラッシュであり、ＡＦ補助光の投光機能、フラッシュ調光機能も有する。露光制御部４０及び測距制御部４２はＴＴＬ方式を用いて制御されており、上述の通り、Ａ／Ｄ変換器１６からの画像データを画像処理部２０によって演算した演算結果に基づき、システム制御部５０が露光制御部４０及び測距制御部４２を制御する。
【００３１】
５０はデジタルカメラ１００全体を制御するシステム制御部であり、５２はシステム制御部５０の動作用の定数、変数、プログラム等を記憶するメモリである。
【００３２】
５４はシステム制御部５０でのプログラムの実行に応じて、文字、画像、音声等を用いて動作状態やメッセージ等をユーザに報知する、表示装置やスピーカー等の通知部であり、デジタルカメラ１００の操作部近辺の視認し易い位置に単数或いは複数個所設置される。例えばＬＣＤやＬＥＤ、発音素子等の組み合わせにより構成されている。また、通知部５４は、その一部の機能が光学ファインダ１０４内に設置されている。
【００３３】
表示通知部５４の表示内容のうち、ＬＣＤ等に表示するものとしては、シングルショット／連写撮影表示、セルフタイマー表示、圧縮率表示、記録画素数表示、記録枚数表示、残撮影可能枚数表示、シャッタスピード表示、絞り値表示、露出補正表示、フラッシュ表示、赤目緩和表示、マクロ撮影表示、ブザー設定表示、時計用電池残量表示、電池残量表示、エラー表示、複数桁の数字による情報表示、記録媒体２０２及び２１２の着脱状態表示、通信Ｉ／Ｆ動作表示、日付け・時刻表示等がある。
【００３４】
また、表示通知部５４の表示内容のうち、光学ファインダ１０４内に表示するものとしては、合焦表示、手振れ警告表示、フラッシュ充電表示、シャッタスピード表示、絞り値表示、露出補正表示等がある。
【００３５】
５６は電気的に消去・記録可能な不揮発性メモリであり、例えばＥＥＰＲＯＭ等が用いられる。
【００３６】
６０は上述したリアグリップ部６０であり、その開状態及び閉状態が開閉検出部６１によって検出され、システム制御部５０に通知される。
【００３７】
６０、６２、６４、及び７０は、システム制御部５０の各種の動作指示を入力するための操作手段であり、スイッチやダイアル、タッチパネル、視線検知によるポインティング、音声認識装置等の単数或いは複数の組み合わせで構成される。
【００３８】
ここで、これらの操作手段の具体的な説明を行う。
【００３９】
６０はモードダイアルスイッチで、電源オフ、自動撮影モード、撮影モード、パノラマ撮影モード、再生モード、マルチ画面再生・消去モード、ＰＣ接続モード等の各機能モードを切り替え設定することができる。
【００４０】
６２はシャッタスイッチＳＷ１で、不図示のシャッタボタンの操作途中でＯＮとなり、ＡＦ（オートフォーカス）処理、ＡＥ（自動露出）処理、ＡＷＢ（オートホワイトバランス）処理、ＥＦ（フラッシュプリ発光）処理等の動作開始を指示する。
【００４１】
６４はシャッタスイッチＳＷ２で、不図示のシャッタボタンの操作完了でＯＮとなり、撮像素子１２から読み出した信号をＡ／Ｄ変換器１６、メモリ制御部２２を介してメモリ３０に画像データを書き込む露光処理、画像処理部２０やメモリ制御部２２での演算を用いた現像処理、メモリ３０から画像データを読み出し、圧縮伸長部３２で画像圧縮を行い、記録媒体２００或いは２１０に画像データを書き込む記録処理という一連の処理の動作開始を指示する。
【００４２】
７０は各種ボタンやタッチパネル等からなる操作部で、メニューボタン、セットボタン、マクロ／非マクロ切り替えボタン、マルチ画面再生改ページボタン、フラッシュ設定ボタン、単写／連写／セルフタイマー切り替えボタン、メニュー移動＋（プラス）ボタン、メニュー移動−（マイナス）ボタン、再生画像移動＋（プラス）ボタン、再生画像−（マイナス）ボタン、撮影画質選択ボタン、露出補正ボタン、日付／時間設定ボタン等がある。
【００４３】
６６は、後述する白画素の検出時に用いられ、被写体に光を投光する投光装置である。
【００４４】
８０は電源制御部で、電池検出回路、ＤＣ−ＣＤコンバータ、通電するブロックを切り替えるスイッチ回路等により構成されており、電池の装着の有無、電池の種類、電池残量の検出を行い、検出結果及びシステム制御部５０の指示に基づいてＤＣ−ＤＣコンバータを制御し、必要な電圧を必要な期間、記録媒体を含む各部へ供給する。
【００４５】
８２、８４はコネクタ、８６はアルカリ電池やリチウム電池等の一次電池やＮｉＣｄ電池やＮｉＭＨ電池、Ｌｉ電池等の二次電池、ＡＣアダプタ等からなる電源である。
【００４６】
９０及び９４はメモリカードやハードディスク等の記録媒体とのインタフェース、９２及び９６はメモリカードやハードディスク等の記録媒体と接続を行うコネクタ、９８はコネクタ９２及び或いは９６に記録媒体２００或いは２１０が装着されているか否かを検知する記録媒体検知部である。
【００４７】
尚、本実施の形態では記録媒体を取り付けるインタフェース及びコネクタを２系統持つものとして説明している。勿論、記録媒体を取り付けるインタフェース及びコネクタは、単数或いは複数、いずれの系統数を備える構成としても構わない。また、異なる規格のインタフェース及びコネクタを組み合わせて備える構成としてもよい。
【００４８】
インタフェース及びコネクタとしては、ＰＣＭＣＩＡカードやＣＦ（コンパクトフラッシュ（登録商標））カード等の規格に準拠したものを用いて構成することが可能である。インタフェース９０及び９４、そしてコネクタ９２及び９６をＰＣＭＣＩＡカードやＣＦカード等の規格に準拠したものを用いて構成した場合、ＬＡＮカードやモデムカード、ＵＳＢカード、ＩＥＥＥ１３９４カード、Ｐ１２８４カード、ＳＣＳＩカード、ＰＨＳ等の通信カード、等の各種通信カードを接続することにより、他のコンピュータやプリンタ等の周辺機器との間で画像データや画像データに付属した管理情報を転送し合うことができる。
【００４９】
１０４は光学ファインダであり、画像表示部１０６による電子ファインダ機能を使用すること無しに、光学ファインダのみを用いて撮影を行うことが可能である。また、光学ファインダ１０４内には、通知部５４の一部の機能、例えば、合焦表示、手振れ警告表示、フラッシュ充電表示、シャッタスピード表示、絞り値表示、露出補正表示等が設置されている。
【００５０】
１１０は通信部で、ＲＳ２３２ＣやＵＳＢ、ＩＥＥＥ１３９４、Ｐ１２８４、ＳＣＳＩ、モデム、ＬＡＮ、無線通信等の各種通信機能を有する。
【００５１】
１１２は通信部１１０によりデジタルカメラ１００を他の機器と接続するコネクタ或いは無線通信の場合はアンテナである。
【００５２】
２０２及び２１２はメモリカードやハードディスク等の記録媒体である。記録媒体２００及び２１０は、それぞれ半導体メモリや磁気ディスク等から構成される記録部２０２及び２１２と、デジタルカメラ１００とのインタフェース２０４及び２１４と、デジタルカメラ１００と接続を行うコネクタ２０６及び２１６とを備えている。
【００５３】
次に、画像表示部１０６における表示画像の制御動作について説明する。図１０及び図１１は、画像表示部１０６における表示画像の制御動作を示すフローチャートである。
【００５４】
図１０において、電池交換等の電源投入により、システム制御部５０はフラグや制御変数等を初期化する（ステップＳ１０１）。続いて、画像表示部１０６の画像表示をＯＦＦ状態に初期設定する（ステップＳ１０２）。
【００５５】
次に、システム制御部５０は、開閉検出部６１からの通知によりリアグリップ部６０が開状態にあるか否かを判断する（ステップＳ１０３）。リアグリップ部６０が閉状態にある場合（ステップＳ１０３／ＮＯ）、撮影モードとなり、システム制御部５０は画像表示部１０６における画像表示サイズを縮小表示に設定する（ステップＳ１０４）。
【００５６】
続いて、システム制御部５０は、表示通知部５４を用いて画像や音声によりデジタルカメラ１００の各種設定状態をユーザに知らせる（ステップＳ１０５）。次に、システム制御部５０は、撮像した画像データを縮小表示サイズで逐次表示する（ステップＳ１０６）。
【００５７】
一方、ステップＳ１０３の判断において、リアグリップ部６０が閉状態にあると判断された場合（ステップＳ１０３／ＹＥＳ）、処理はステップＳ１０８に移行する。
【００５８】
続いて、システム制御部５０は、開閉検出部５１からの通知によりリアグリップ部６０が開状態にあるか否かを判断する（ステップＳ１０７）。リアグリップ部６０が開状態にある場合（ステップＳ１０７／ＹＥＳ）、処理はステップＳ１０８に移行し、リアグリップ部６０が閉状態にある場合（ステップＳ１０７／ＮＯ）、処理は図１１のステップＳ１１２に移行する。
【００５９】
ステップＳ１０８からは再生モードに移行し、システム制御部５０は、画像表示部１０６における画像表示サイズを拡大表示に設定する（ステップＳ１０８）。
【００６０】
続いて、システム制御部５０は、表示通知部５４を用いて画像や音声によりデジタルカメラ１００の各種設定状態をユーザに知らせる（ステップＳ１０９）。次に、システム制御部５０は、記録媒体２０２、２１２から画像データを読み込み、拡大表示サイズで画像表示部６０に画像データを表示する（ステップＳ１１０）。
【００６１】
続いて、システム制御部５０は、リアグリップ部６０が開状態にあるか否かを判断する（ステップＳ１１１）。リアグリップ部６０が開状態にある場合はそのまま再生モードを継続する。リアグリップ部６０が閉状態にある場合は、ステップＳ１０４に移行する。
【００６２】
ステップＳ１１２では、システム制御部５０は、シャッタスイッチＳＷ１の状態をチェックし、シャッタスイッチＳＷ１がＯＦＦならば（ステップＳ１１２／ＯＦＦ）、シャッタスイッチＳＷ１がＯＮとなるまで待機する。
【００６３】
シャッタスイッチＳＷ１がＯＮとなると（ステップＳ１１２／ＯＮ）、システム制御部５０は、測距処理を行ってレンズ１０の焦点を被写体に合わせるとともに、測光処理を行って絞り値及びシャッタ時間を決定する。測光の結果、必要であればフラッシュ・フラグをセットし、フラッシュの設定も行う。
【００６４】
測距・測光・測色処理（ステップＳ１１３）を終えると、ステップＳ１１４に移行する。
【００６５】
次のステップＳ１１４でシャッタスイッチＳＷ２が押されずに（ステップＳ１１４／ＯＦＦ）、更にシャッタスイッチＳＷ１も解除されたならば（ステップＳ１１５／ＯＦＦ）、ステップＳ１０３に戻る。シャッタスイッチＳＷ２が押されずに（ステップＳ１１４／ＯＦＦ）、シャッタスイッチＳＷ１がＯＮのままである場合には（ステップＳ１２２／ＯＮ）、ステップＳ１１４に戻る。また、シャッタスイッチＳＷ２が押されたならば（ステップＳ１１４／ＯＮ）、ステップＳ１１６に移行する。
【００６６】
ステップＳ１１６において、システム制御部５０は、撮像素子１４、Ａ／Ｄ変換器１６、画像処理部２０、メモリ制御部２２を介して、或いはＡ／Ｄ変換器１６から直接メモリ制御部２２を介して、メモリ３０に撮影した画像データを書き込む露光処理、及び、メモリ制御部２２そして必要に応じて画像処理部２０を用いて、メモリ３０に書き込まれた画像データを読み出して各種処理を行なう現像処理からなる撮影処理を実行する。
【００６７】
ステップＳ１１６の撮影処理終了後、ステップＳ１１７に進み、システム制御部５０は、メモリ３０に書き込まれた撮影画像データを読み出して、メモリ制御部２２そして必要に応じて画像処理部２０を用いて各種画像処理を、また、圧縮伸張部３２を用いて設定したモードに応じた画像圧縮処理を行なった後、記録媒体２００或いは２１０へ画像データの書き込みを行なう記録処理を実行する（ステップＳ１１７）。
【００６８】
ステップＳ１１７の記録処理が終了したならば、システム制御部５０はシャッタスイッチＳＷ２の状態を調べ、ＯＦＦであれば（ステップＳ１１８／ＯＦＦ）ステップＳ１０３に戻り、ＯＮ状態のままであれば（ステップＳ１１８／ＯＮ）、ＯＦＦ状態となるまで待機する。
【００６９】
なお、上述した実施形態では、リアグリップ部６０が閉状態時に撮影モード、開状態時に再生モードに遷移するとして説明したが、特に本発明はこの実施形態に限られず、リアグリップ部６０が開状態であっても撮影モードとなってもよいし、閉状態時に再生モードとなってもよい。
【００７０】
また、リアグリップ部６０の開閉状態の検出は、リアグリップ部６０が完全に閉状態である場合に閉状態、それ以外の状態は開状態として検出してもよいし、反対に、リアグリップ部６０が完全に開状態である場合に開状態、それ以外の状態は閉状態として検出してもよい。さらに、画像表示部１０６面に対するリアグリップ部６０の開き具合が所定の角度未満である場合には閉状態、所定の角度以上である場合には開状態として検出してもよい。なお、リアグリップ部６０がスライド方式である場合には、一定のスライド距離を設定し、リアグリップ部６０の位置がそのスライド距離未満の位置であれば閉状態、スライド距離以上の位置であれば閉状態として検出してもよい。
【００７１】
以上のように、本発明の実施形態においては、必要に応じてリアグリップ部６０を移動させ、例えば撮影時等のようにリアグリップ部６０を把持する必要がある場合には、リアグリップ部６０を閉状態としてデジタルカメラ１００の持ちやすさを重視し、再生時等のようにリアグリップ部６０を把持する必要がない場合には、リアグリップ部６０を開状態として画像表示部１０６の表示画像に対する視認性、操作性を向上させることが可能となる。よって、本発明の実施形態によれば、デジタルカメラ１００の持ちやすさを維持しつつ、画像表示部１０６の表示画像に対する視認性、操作性を向上させることができる。
【００７２】
また、本発明の実施形態においては、リアグリップ部６０の開閉状態に応じて、画像表示部１０６における画像表示サイズを切り替えるように構成している。従って、リアグリップ部６０が開状態にある場合には画像表示部１０６全体に画像を拡大表示し、閉状態時には画像を縮小表示させ、常に表示画像全体を参照することが可能となる。よって、表示画像部１０６の表示画像に対する視認性、操作性を向上させることができる。
【００７３】
また、本発明の目的は、前述した実施形態の機能を実現するソフトウェアのプログラムコードを記録した記憶媒体をシステム或いは装置に供給し、そのシステム等のコンピュータが記憶媒体からプログラムコードを読み出し実行することによっても達成される。
【００７４】
この場合、記憶媒体から読み出されたプログラムコード自体が前述した実施形態の機能を実現することになり、プログラムコード自体及びそのプログラムコードを記憶した記憶媒体は本発明を構成することになる。
【００７５】
プログラムコードを供給するための記憶媒体としては、例えば、フレキシブルディスク、ハードディスク、光ディスク、光磁気ディスク、ＣＤ−ＲＯＭ、ＣＤ−Ｒ、磁気テープ、不揮発性のメモリカード、ＲＯＭ等を用いることができる。
【００７６】
また、コンピュータが読み出したプログラムコードの指示に基づき、コンピュータ上で稼動しているＯＳ等が実際の処理の一部又は全部を行い、その処理によって前述した実施形態の機能が実現される場合も含まれる。
【００７７】
さらに、記憶媒体から読み出されたプログラムコードが、コンピュータに接続された機能拡張ユニット等に備わるメモリに書込まれた後、そのプログラムコードの指示に基づきＣＰＵ等が実際の処理を行い、前述した実施形態の機能が実現される場合も含まれる。
【図面の簡単な説明】
【００７８】
【図１】本発明の実施形態に係るデジタルカメラを正面側からみた斜視図である。
【図２】デジタルカメラを背面側からみた斜視図である。
【図３】リアグリップ部が閉状態にあるデジタルカメラを背面側からみた斜視図である。
【図４】リアグリップ部が開状態にあるデジタルカメラを背面側からみた斜視図である。
【図５】メニュー画面表示時にリアグリップ部が閉状態にあるデジタルカメラを背面側からみた斜視図である。
【図６】メニュー画面表示時にリアグリップ部が開状態にあるデジタルカメラを背面側からみた斜視図である。
【図７】本発明の他の実施形態に係るデジタルカメラを背面側からみた斜視図である。
【図８】本発明の他の実施形態に係るデジタルカメラを背面側からみた斜視図である。
【図９】デジタルカメラのシステム構成を示すブロック図である。
【図１０】画像表示部における表示画像の制御動作を示すフローチャートである。
【図１１】画像表示部における表示画像の制御動作を示すフローチャートである。
【符号の説明】
【００７９】
１０  レンズユニット
６０  リアグリップ部
１００  デジタルカメラ
１０１  フラッシュ発光部
１０２  ダイアルスイッチ
１０３  電子ダイアル
１０４  シャッタボタン
１０５  フロントグリップ部
１０６  画像表示部
１０７、１０７´  十字操作キー
１０８、１０８´  決定ボタン
１０９〜１１５  操作ボタン
１１６  メニュー表示領域
５０  システム制御部
６１  開閉検出部
【図１】
2007081556.tif 000003
【図２】
2007081556.tif 000004
【図３】
2007081556.tif 000005
【図４】
2007081556.tif 000006
【図５】
2007081556.tif 000007
【図６】
2007081556.tif 000008
【図７】
2007081556.tif 000009
【図８】
2007081556.tif 000010
【図９】
2007081556.tif 000011
【図１０】
2007081556.tif 000012
【図１１】
2007081556.tif 000013